(57)【要約】【課題】接続されるケーブルの着脱時の作業性を向上させるのに適したワイヤ送給装置を提供すること。【解決手段】ケーブルＣ１を引き込むためのケーブル引込口１７０が後方壁１７に形成されたボックス状のケース１を備え、後方壁１７は、壁部１７１と、壁部１７１に対して互いに隣接する方向Ｙにスライド移動可能な壁部１７２と、を含む。ケーブル引込口１７０は、壁部１７１および壁部１７２に形成された一対の切欠き部１７０Ａ，１７０Ｂからなる。壁部１７２は、第１位置と、第１位置よりも壁部１７１から離れた第２位置と、の間でスライド移動可能である。壁部１７１，１７２には、壁部１７２が上記第１位置にあるときに閉じた状態を維持し、壁部１７２が上記第２位置にあるときに開いた状態をとり得る開閉機構１８が設けられており、壁部１７２が上記第１位置にあるときの当該壁部１７２のスライド移動を阻止するロック機構１９を備える。【選択図】図４
2020168655.tif 000002
【特許請求の範囲】
【請求項１】
溶接ワイヤを所定の送給方向に送り出すワイヤ送給機構と、上記ワイヤ送給機構を収容し、ケーブルを引き込むためのケーブル引込口が周壁に形成されたボックス状のケースと、を備えたワイヤ送給装置であって、
上記周壁は、第１壁部と、当該第１壁部に隣接し、かつ上記第１壁部に対して互いに隣接する方向にスライド移動可能に配置された第２壁部と、を含み、
上記ケーブル引込口は、上記第１壁部および上記第２壁部にそれぞれ形成され、互いに対向する一対の切欠き部からなり、
上記第２壁部は、第１位置と、当該第１位置よりも上記第１壁部から離れた第２位置と、の間でスライド移動可能であり、
上記第１壁部および上記第２壁部には、上記第２壁部が上記第１位置にあるときに上記第２壁部が閉じた状態を維持し、上記第２壁部が上記第２位置にあるときに上記第２壁部が開いた状態をとり得る開閉機構が設けられており、
上記第２壁部が上記第１位置にあるときの当該第２壁部のスライド移動を阻止するロック機構を備える、ワイヤ送給装置。
【請求項２】
上記第１壁部における上記切欠き部の周縁および上記第２壁部における上記切欠き部の周縁には、それぞれ、ゴム弾性を有する弾性部材が取り付けられている、請求項１に記載のワイヤ送給装置。
【請求項３】
上記周壁は、上記第２壁部に対して上記第１壁部と反対側に配置され、かつ上記第２壁部の一部と重なる第３壁部を含み、
上記ロック機構は、上記第３壁部に対する上記第２壁部の移動を阻止するねじ部材を含む、請求項１または２に記載のワイヤ送給装置。
【請求項４】
上記第２壁部には、上記第３壁部寄りの端縁から上記隣接する方向に延びるスリットが形成されており、
上記ねじ部材は上記スリットに挿通する、請求項３に記載のワイヤ送給装置。
【請求項５】
上記開閉機構は、上記第１壁部および上記第２壁部のうちの一方に形成された貫通孔と、上記第１壁部および上記第２壁部のうちの他方に形成された係止片と、を含み、
上記係止片は、上記第２壁部が上記第１位置にあるときに上記貫通孔を通過不可能であり、かつ上記第２壁部が上記第２位置にあるときに上記貫通孔を通過可能である、請求項１ないし４のいずれかに記載のワイヤ送給装置。
【請求項６】
上記ケーブルは、電力ケーブルが保護チューブに内挿された構成であり、
上記ケースの内部には、上記電力ケーブルを保持するクランプ部が設けられている、請求項１ないし５のいずれかに記載のワイヤ送給装置。
【発明の詳細な説明】
【技術分野】
【０００１】
本発明は、ワイヤ送給装置に関する。
【背景技術】
【０００２】
消耗電極式ガスシールドアーク溶接において、溶接ロボットや走行台車を用いた自動溶接や、作業者が操作する半自動溶接の手法が採用されている。これら自動溶接等の溶接作業時においては、ワイヤ送給装置により溶接トーチに向けて溶接ワイヤが送り出され、また、溶接トーチには電力およびシールドガスが供給される。
【０００３】
半自動溶接において、溶接作業を行う現場によっては作業領域が比較的広い場合がある。大型構造物の内部で作業する場合、作業領域が比較的広い。このような溶接作業現場では、作業場床面は窪みやケーブル類が多く、ワイヤ送給装置に車輪を付けて運搬することは適さない。このため、溶接箇所に応じて、溶接トーチとワイヤ送給装置を作業者が手で持ち運ぶ必要がある。作業者が持ち運ぶのに適した可搬式のワイヤ送給装置が、たとえば特許文献１に開示されている。
【０００４】
特許文献１に記載されたワイヤ送給装置は、ボックス状のケースと、当該ケースに収容されたワイヤ送給機構と、を備える。ケースは、たとえば鋼板（スチール製）によって構成されており、直方体形状とされている。ワイヤ送給機構は、ワイヤリールに巻かれた溶接ワイヤを、ケースの長手水平方向に沿う送給方向に送り出す。ケースの天井壁には、手で持ち運ぶための把手が設けられている。
【０００５】
ワイヤ送給装置には、溶接電源からの電力供給やシールドガスを供給するためのケーブルが接続される。当該ケーブルは、ケースの周壁に形成された開口（ケーブル引込口）を通じてケースの内部に引き込まれている。当該ケーブルは、たとえば電力ケーブルやガスホースが保護チューブに内挿された構成とされている。ケーブルをワイヤ送給装置に接続する際、たとえばケースのメンテンナンス用の扉を開き、ケース内部において各ケーブルの先端のコネクタが適所に接続される。また、ケーブルの保護チューブには、たとえばリング部材が外嵌されている。リング部材は、ケーブル引込口の周縁を覆っており、ねじ止めによって着脱可能に周壁に固定される。
【０００６】
上記のように溶接作業現場においてワイヤ送給装置を持ち運ぶ場合、必要に応じてケースに接続された上記ケーブルを取り外す。しかしながら、ケースの内部において各ケーブルのコネクタを分離するとともに、ケースの周壁に固定されたリング部材について、ねじを緩めて取り外す必要がある。したがって、ワイヤ送給装置に対するケーブル着脱の作業が煩雑であり、改善の余地があった。
【先行技術文献】
【特許文献】
【０００７】
【特許文献１】特開２００６−７２６４号公報
【発明の概要】
【発明が解決しようとする課題】
【０００８】
本発明は、このような事情のもとで考え出されたものであって、接続されるケーブルの着脱時の作業性を向上させるのに適したワイヤ送給装置を提供することを主たる課題とする。
【課題を解決するための手段】
【０００９】
上記の課題を解決するため、本発明では、次の技術的手段を採用した。
【００１０】
本発明によって提供されるワイヤ送給装置は、溶接ワイヤを所定の送給方向に送り出すワイヤ送給機構と、上記ワイヤ送給機構を収容し、ケーブルを引き込むためのケーブル引込口が周壁に形成されたボックス状のケースと、を備えたワイヤ送給装置であって、上記周壁は、第１壁部と、当該第１壁部に隣接し、かつ上記第１壁部に対して互いに隣接する方向にスライド移動可能に配置された第２壁部と、を含み、上記ケーブル引込口は、上記第１壁部および上記第２壁部にそれぞれ形成され、互いに対向する一対の切欠き部からなり、上記第２壁部は、第１位置と、当該第１位置よりも上記第１壁部から離れた第２位置と、の間でスライド移動可能であり、上記第１壁部および上記第２壁部には、上記第２壁部が上記第１位置にあるときに上記第２壁部が閉じた状態を維持し、上記第２壁部が上記第２位置にあるときに上記第２壁部が開いた状態をとり得る開閉機構が設けられており、上記第２壁部が上記第１位置にあるときの当該第２壁部のスライド移動を阻止するロック機構を備える。
【００１１】
好ましい実施の形態においては、上記第１壁部における上記切欠き部の周縁および上記第２壁部における上記切欠き部の周縁には、それぞれ、ゴム弾性を有する弾性部材が取り付けられている。
【００１２】
好ましい実施の形態においては、上記周壁は、上記第２壁部に対して上記第１壁部と反対側に配置され、かつ上記第２壁部の一部と重なる第３壁部を含み、上記ロック機構は、上記第３壁部に対する上記第２壁部の移動を阻止するねじ部材を含む。
【００１３】
好ましい実施の形態においては、上記第２壁部には、上記第３壁部寄りの端縁から上記隣接する方向に延びるスリットが形成されており、上記ねじ部材は上記スリットに挿通する。
【００１４】
好ましい実施の形態においては、上記開閉機構は、上記第１壁部および上記第２壁部のうちの一方に形成された貫通孔と、上記第１壁部および上記第２壁部のうちの他方に形成された係止片と、を含み、上記係止片は、上記第２壁部が上記第１位置にあるときに上記貫通孔を通過不可能であり、かつ上記第２壁部が上記第２位置にあるときに上記貫通孔を通過可能である。
【００１５】
好ましい実施の形態においては、上記ケーブルは、電力ケーブルが保護チューブに内挿された構成であり、上記ケースの内部には、上記電力ケーブルを保持するクランプ部が設けられている。
【発明の効果】
【００１６】
本発明に係るワイヤ送給装置において、第１壁部および第２壁部には、開閉機構が設けられている。開閉機構は、第２壁部が第１位置にあるときに当該第２壁部が閉じた状態を維持する。その一方、開閉機構は、第２壁部が第２位置にあるときに当該第２壁部が開いた状態をとり得る。このような構成によれば、第２壁部を開くことで、ワイヤ送給装置に対するケーブルの着脱を容易に行うことができる。また、ワイヤ送給装置は、ロック機構を具備する。ロック機構は、第２壁部が第１位置にあるときの当該第２壁部のスライド移動を阻止する。したがって、開閉可能な第２壁部が不用意に開くことは防止される。
【００１７】
本発明のその他の特徴および利点は、添付図面を参照して以下に行う詳細な説明によって、より明らかとなろう。
【図面の簡単な説明】
【００１８】
【図１】本発明に係るワイヤ送給装置の一例を示す平面図である。
【図２】図１に示すワイヤ送給装置の斜視図である。
【図３】図１に示すワイヤ送給装置を図２とは異なる方向から見た斜視図である。
【図４】図１に示すワイヤ送給装置の側面図である。
【図５】図１に示すワイヤ送給装置を斜め下方から見た図である。
【図６】図１に示すワイヤ送給装置から扉を取り外した状態を示す正面図である。
【図７】図４のＶＩＩ−ＶＩＩに沿う要部拡大断面図である。
【図８】図４のＶＩＩＩ−ＶＩＩＩに沿う要部拡大断面図である。
【図９】第２壁部の開閉動作を説明するための図８と同様の断面図である。
【図１０】第２壁部の開閉動作を説明するための図８と同様の断面図である。
【図１１】第２壁部の開閉動作を説明するための図８と同様の断面図である。
【発明を実施するための形態】
【００１９】
以下、本発明の好ましい実施形態につき、図面を参照しつつ具体的に説明する。
【００２０】
図１〜図６は、本発明に係るワイヤ送給装置の一例を示している。本実施形態のワイヤ送給装置Ａ１は、溶接ワイヤを図示しない溶接トーチに送り出すものである。ワイヤ送給装置Ａ１は、ケース１、前方パネル３、後方パネル４およびワイヤ送給機構（図示略）を備えている。
【００２１】
ケース１は、概略直方体のボックス状とされている。ケース１の長手水平方向が、溶接ワイヤの送給方向Ｘに平行である。各図において、溶接ワイヤのＸ送給方向の前方（以下、適宜「送給方向前方Ｘ１」という）と後方（以下、適宜「送給方向後方Ｘ２」という）とを、適宜区別して表す。なお、図示したワイヤ送給装置Ａ１の説明において、通常使用する姿勢を基準として上下方向を規定する。
【００２２】
図１〜図４に示すように、ケース１は、底壁１１、天井壁１２、扉１３，１４、前方壁１５および後方壁１７を備える。ケース１はまた、たとえば４隅に配置された支柱や適所に設けられた梁部（いずれも図示せず）を備えた骨格構造とされている。ケース１を構成するこれらの要素は、金属材料からなり、たとえば鋼板製である。
【００２３】
底壁１１は、ケース１において最も下位に位置する部分である。底壁１１は、送給方向Ｘを長手方向とする長矩形状である。底壁１１の幅方向Ｙは、送給方向Ｘに対して直角な水平方向である。
【００２４】
天井壁１２の上面中央には、把手１２１が設けられている。天井壁１２の周縁付近には、一対ずつのヒンジ部１２２，１２３が取り付けられている。一対のヒンジ部１２２は、幅方向Ｙの一方の端部（以下、適宜「幅方向一方Ｙ１」という）に位置し、送給方向Ｘに離間して配置されている。一対のヒンジ部１２３は、幅方向Ｙの他方の端部（以下、適宜「幅方向他方Ｙ２」という）に位置し、送給方向Ｘに離間して配置されている。
【００２５】
扉１３は、ケース１の幅方向一方Ｙ１の端部に配置されている。扉１３の上部１３１は、一対のヒンジ部１２２に連結されている。扉１３は、上部１３１において送給方向Ｘに沿う軸線周りに回動可能とされており、開閉可能である。扉１３の下端付近には、係止部１３２が設けられている。係止部１３２は、外部からの操作によって、閉じた扉１３について開き動作を阻止する状態から許容する状態へ切り替え可能である。
【００２６】
扉１４は、底壁１１の幅方向他方Ｙ２の端部に配置されている。扉１４の上部１４１は、一対のヒンジ部１２３に連結されている。扉１４は、上部１４１において送給方向Ｘに沿う軸線周りに回動可能とされており、開閉可能である。扉１４の下端付近には、係止部１４２が設けられている。係止部１４２は、外部からの操作によって、閉じた扉１４について開き動作を阻止する状態から許容する状態へ切り替え可能である。
【００２７】
図３に示すように、前方壁１５は、底壁１１の送給方向前方Ｘ１側に配置されている。前方壁１５には、トーチ接続部１６１およびガード部１６２が設けられている。
【００２８】
トーチ接続部１６１は、図示しない溶接トーチを接続するための部位である。トーチ接続部１６１は前方壁１５より送給方向前方Ｘ１に突出するコネクタを含んで構成され、当該コネクタに上記溶接トーチのケーブルの端部が接続される。ガード部１６２は、前方壁１５から送給方向前方Ｘ１に突出する。図１に示すように、ガード部１６２は、トーチ接続部１６１よりも送給方向前方Ｘ１側に突出する。本実施形態において、ガード部１６２は、底壁１１の幅方向Ｙに離間して対をなして設けられている。トーチ接続部１６１は、底壁１１の幅方向Ｙにおいて一対のガード部１６２の間に位置する。各ガード部１６２は、コの字状の棒材によって構成されており、当該線材の両端が前方壁１５に取付けられることで環状をなす。
【００２９】
図２に示すように、後方壁１７は、底壁１１の送給方向後方Ｘ２側に配置されている。図２、図４に示すように、本実施形態において、後方壁１７は、第１壁部１７１、第２壁部１７２および第３壁部１７３を含む。また、後方壁１７には、ケーブル引込口１７０が形成されている。ケース１の内部には、このケーブル引込口１７０を介してケーブルＣ１が引き込まれている。
【００３０】
第１壁部１７１、第２壁部１７２および第３壁部１７３は、幅方向Ｙにおいてこの順に並んでいる。第１壁部１７１は幅方向一方Ｙ１側に位置する。第３壁部１７３は、第２壁部１７２に対して第１壁部１７１と反対側に配置され、幅方向他方Ｙ２側に位置する。図４、図７、図８に示すように、第３壁部１７３は、第２壁部１７２の一部（幅方向一方Ｙ１側の部位）と重なっている。第１壁部１７１および第３壁部１７３は、たとえばボルト締結などの適宜手段により後方パネル４の適所に固定されている。
【００３１】
第２壁部１７２は、第１壁部１７１に隣接している。第２壁部１７２は、第１壁部１７１に対して互いに隣接する方向（本実施形態では幅方向Ｙ）にスライド移動可能に配置される。
【００３２】
図４、図７に示すように、第２壁部１７２には、スリット１７２ａが形成されている。スリット１７２ａは、第２壁部１７２において第３壁部１７３寄りの端縁から幅方向Ｙ（第１壁部１７１と第２壁部１７２とが隣接する方向）に延びている。このスリット１７２ａには、ねじ部材１９１が挿通させられる。ねじ部材１９１は、たとえば蝶ねじであり、第３壁部１７３に形成されたねじ孔にねじ軸部が螺合している。また、第２壁部１７２には、幅方向一方Ｙ１側の端縁が折り曲げ形成された屈曲部１７２ｂを有する。
【００３３】
図７に示すように、ケーブル引込口１７０は、互いに対向する一対の切欠き部１７０Ａ，１７０Ｂからなる。切欠き部１７０Ａは、第１壁部１７１に形成されている。切欠き部１７０Ｂは、第２壁部１７２に形成されている。切欠き部１７０Ａ，１７０Ｂは、それぞれ略半円形とされており、これら切欠き部１７０Ａ，１７０Ｂを合わせて略円形状をなす。
【００３４】
図４、図７に示すように、切欠き部１７０Ａ，１７０Ｂそれぞれの周縁には、弾性部材１７５，１７６が取り付けられている。各弾性部材１７５，１７６は、ゴム弾性を有しており、たとえば合成ゴムからなる。各弾性部材１７５，１７６の内周縁は、円弧状をなす。
【００３５】
第１壁部１７１および第２壁部１７２には、開閉機構１８が設けられている。開閉機構１８は、第１壁部１７１および第２壁部１７２のうち、一方に形成された貫通孔と他方に形成された係止片とを含む。本実施形態では、図４、図８に示すように、第１壁部１７１において矩形状の一対の貫通孔１８１が形成されており、第２壁部１７２に一対の係止片１８２が形成されている。係止片１８２は、適宜屈曲している。係止片１８２は、第１壁部１７１に対して第２壁部１７２が所定の位置にあるとき、貫通孔１８１を通過することが可能である。
【００３６】
図４、図８に示した状態において、係止片１８２は貫通孔１８１を通過不可能である。このとき、第２壁部１７２は、スライド移動する範囲において最も幅方向他方Ｙ２寄りに位置する。このとき、第２壁部１７２は第１位置にあり、閉じた状態が維持される。
【００３７】
ねじ部材１９１を緩めた状態では、図９に示すように、第２壁部１７２を幅方向一方Ｙ１側にスライド移動させることが可能である。ここで、第２壁部１７２は、後述する後方パネル４の後方底部４１や中間部４５、およびねじ部材１９１によってガイドされながら、幅方向Ｙに沿ってスライド移動可能である。図９に示した状態においては、スリット１７２ａの奥端にねじ部材１９１が当接しており、第２壁部１７２の幅方向一方Ｙ１側への移動が規制される。このとき、第２壁部１７２は、図８に示した第１位置よりも第１壁部１７１から離れた位置（第２位置）にある。図８、図９から理解されるように、第２壁部１７２は、図８に示した第１位置と、図９に示した第２位置との間でスライド移動可能である。なお、第２壁部１７２のスライド移動については、屈曲部１７２ｂを摘むことで容易に操作することができる。
【００３８】
本実施形態において、ワイヤ送給装置Ａ１は、ロック機構１９を具備する。ロック機構１９は、第２壁部１７２が第１位置にあるとき（図７、図８に示した状態）の当該第２壁部１７２のスライド移動を阻止するものである。本実施形態において、ロック機構１９は、ねじ部材１９１を含んで構成される。図７、図８に示した状態でねじ部材１９１を締め付けることで、第２壁部１７２は、ねじ部材１９１および第３壁部１７３により挟圧されて、第３壁部１７３に対する移動が阻止される。
【００３９】
第２壁部１７２が図９に示した第２位置にあるとき、送給方向Ｘ視において係止片１８２は貫通孔１８１に重なっている。このとき、係止片１８２は貫通孔１８１を通過可能である。
【００４０】
図９に示した状態から、第２壁部１７２の屈曲部１７２ｂを幅方向一方Ｙ１側に倒すと、第２壁部１７２が回動して図１０に示す状態となる。第２壁部１７２の幅方向他方Ｙ２側の部分は、第１壁部１７１から送給方向後方Ｘ２側に離れている。このとき、第２壁部１７２は開いた状態となる。
【００４１】
図１０に示した状態から、第２壁部１７２を幅方向他方Ｙ２側にスライドさせる。そうすると、図１１に示す状態となる。このとき、第２壁部１７２のスリット１７２ａは、ねじ部材１９１から外れた位置にある。さらに第２壁部１７２を送給方向後方Ｘ２に引くことで、仮想線で示すように、第２壁部１７２を、第１壁部１７１および第３壁部１７３から分離することができる。
【００４２】
第２壁部１７２を閉じた状態（図７、図８に示した第１位置をとる状態）に戻す場合、図７〜図１１を参照して上述した手順と逆の操作を行う。このようにして、第２壁部１７２は、開閉することが可能である。
【００４３】
図１〜図３、図５に示すように、前方パネル３は、ケース１の送給方向前方Ｘ１側に取り付けられている。前方パネル３は、樹脂材料からなる。前方パネル３は、矩形環状とされており、ケース１の送給方向前方Ｘ１端部を囲っている。前方パネル３は、前方底部３１と、前方第１側部３２と、前方第１側部３２と、上部３４と、中間部３５と、を含む。
【００４４】
図１〜図５に示すように、後方パネル４は、ケース１の送給方向後方Ｘ２側に取り付けられている。後方パネル４は、樹脂材料からなる。後方パネル４は、矩形環状とされており、ケース１の送給方向後方Ｘ２端部を囲っている。後方パネル４は、後方底部４１と、後方第１側部４２と、後方第２側部４３と、上部４４と、中間部４５と、を含む。
【００４５】
後方パネル４は、上記前方パネル３と同一の構成とされている。前方パネル３における前方底部３１、前方第１側部３２、前方第１側部３２、上部３４、および中間部３５は、後方パネル４における後方底部４１、後方第２側部４３、後方第１側部４２、上部４４、および中間部４５にそれぞれ対応する。
【００４６】
前方パネル３および後方パネル４をケース１に取り付ける際、送給方向Ｘに沿ってケース１に近接させて、当該ケース１の送給方向前方Ｘ１端部および送給方向後方Ｘ２端部に取り付ける。前方パネル３（後方パネル４）のケース１への固定は、たとえばボルト締結などの適宜手段により行う。
【００４７】
図２、図６に示すように、本実施形態では、ケース１内に引き込まれるケーブルＣ１は、電力ケーブル５１、制御ケーブル５２およびガスホース５３が保護チューブ５０に内挿された構成とされている。保護チューブ５０は、フレキシブルチューブである。保護チューブ５０は、ケーブル引込口１７０に挿通されているが、ケース１の内部において端部が開放している。電力ケーブル５１、制御ケーブル５２およびガスホース５３それぞれの端部は、ケース１の内部において互いに分離している。また、ケース１の内部において、電力ケーブル５１、制御ケーブル５２およびガスホース５３それぞれの先端のコネクタ５１１，５２１，５３１が、適所に接続される。
【００４８】
図６に示した電力ケーブル５１は、ケース１の内部において、保持部材１６４を介してクランプ部材１６３によって保持される。保持部材１６４は、電力ケーブル５１に外嵌されて当該電力ケーブル５１に固定されている。クランプ部材１６３は、保持部材１６４を保持しており、締付ねじ１６５を締め付けることによって、保持部材１６４がケース１内部の適所に固定される。上記構成のクランプ部材１６３、保持部材１６４および締付ねじ１６５は、本発明でいうクランプ部を構成する。なお、上記の制御ケーブル５２やガスホース５３については、ワイヤ送給装置Ａ１を含めた溶接システムの仕様に応じてワイヤ送給装置Ａ１を経由しない場合がある。このような場合、ケーブルＣ１（保護チューブ５０）には、制御ケーブル５２やガスホース５３が内挿されない。
【００４９】
図示説明は省略するが、上記ワイヤ送給機構は、ケース１内に配置されている。ワイヤ送給機構は、たとえばワイヤリールに巻かれた溶接ワイヤを、ケース１の長手水平方向に沿う送給方向Ｘに送り出す。上記ワイヤ送給機構は、たとえば溶接ワイヤを挟む送給ローラおよび加圧ローラと、送給ローラを回転駆動させる送給モータとを備えて構成される。上記ワイヤリールは、たとえばケース１内に配置される。
【００５０】
次に、本実施形態の作用について説明する。
【００５１】
本実施形態において、ケース１の後方壁１７（周壁）は、第１壁部１７１および第２壁部１７２を含む。第２壁部１７２は、第１壁部１７１に隣接して配置され、第１壁部１７１に対して幅方向Ｙ（互いに隣接する方向）にスライド移動可能である。第２壁部１７２は、第１位置（図４、図８参照）と、当該第１位置よりも第１壁部１７１から離れた第２位置（図９参照）と、の間でスライド移動可能である。第１壁部１７１および第２壁部１７２には、ケーブル引込口１７０が形成されている。ケーブル引込口１７０は、第１壁部１７１および第２壁部１７２にそれぞれ形成され、互いに対向する一対の切欠き部１７０Ａ，１７０Ｂからなる。
【００５２】
第１壁部１７１および第２壁部１７２には、開閉機構１８が設けられている。開閉機構１８は、第２壁部１７２が第１位置にあるときに第２壁部１７２が閉じた状態を維持する。その一方、開閉機構１８は、第２壁部１７２が第２位置にあるときに、開いた状態をとり得る（図１０参照）。そして、第２壁部１７２は、図１０に示した状態から図１１のように動かすことにより、容易に分離される。このような構成によれば、第２壁部１７２を開くことで、ワイヤ送給装置Ａ１に対するケーブルＣ１の着脱を容易に行うことができる。また、ワイヤ送給装置Ａ１は、ロック機構１９を具備する。ロック機構１９は、第２壁部１７２が第１位置にあるとき（図７、図８に示した状態）の当該第２壁部１７２のスライド移動を阻止する。したがって、開閉可能な第２壁部１７２が不用意に開くことは防止される。
【００５３】
切欠き部１７０Ａ，１７０Ｂそれぞれの周縁には、ゴム弾性を有する弾性部材１７５，１７６が取り付けられている。このような構成によれば、ケーブルＣ１が引き込まれるケーブル引込口１７０の周辺の防塵性を高めることができる。
【００５４】
本実施形態において、後方壁１７（周壁）は、第３壁部１７３を含む。第３壁部１７３は、第２壁部１７２に対して第１壁部１７１と反対側に配置されており、第２壁部１７２の一部と重なる。また、ロック機構１９は、第３壁部１７３に対する第２壁部１７２の移動を阻止するねじ部材１９１を含む。このような構成によれば、ロック機構１９の操作性に優れており、ロック機構１９を適切に機能させることができる。
【００５５】
第２壁部１７２には、第３壁部１７３寄りの端縁から幅方向Ｙ（第１壁部１７１と第２壁部１７２とが隣接する方向）に延びるスリット１７２ａが形成されている。ねじ部材１９１は、当該スリット１７２ａに挿通している。このような構成によれば、第２壁部１７２のスライド移動時にねじ部材１９１がガイドとして機能する。また、図９を参照して上述したように、第２壁部１７２が上記第２位置にあるとき、ねじ部材１９１により第２壁部１７２の幅方向一方Ｙ１側への移動を規制することが可能である。
【００５６】
開閉機構は、第１壁部１７１に形成された貫通孔１８１と、第２壁部１７２に形成された係止片１８２と、を含む。係止片１８２は、第２壁部１７２が上記第１位置にあるときに貫通孔１８１を通過不可能である。また、係止片１８２は、第２壁部１７２が上記第２位置にあるときに貫通孔１８１を通過可能である。このような構成によれば、第２壁部１７２を開閉切り換えするための開閉機構１８について、比較的簡単な構造とし、かつ適切に機能させることができる。なお、本実施形態と異なり、第２壁部１７２に貫通孔を形成し、第１壁部１７１において当該貫通孔に対応する係止片を形成する構成としてもよい。
【００５７】
ケーブル引込口１７０を介してケース１内に引き込まれるケーブルＣ１は、電力ケーブル５１が保護チューブ５０に内挿された構成とされている。ケース１の内部には、電力ケーブル５１を保持するためのクランプ部（クランプ部材１６３、保持部材１６４および締付ねじ１６５）が設けられている。このような構成によれば、ケーブルＣ１に引き抜き力が作用しても、当該引き抜き力を、電力ケーブル５１および上記クランプ部を介してワイヤ送給装置Ａ１によって受けることができる。これにより、制御ケーブル５２やガスホース５３の有無によってケーブルＣ１の外径寸法が変化しても、ケーブルＣ１に作用する引き抜き力を、上記クランプ部を介してワイヤ送給装置Ａ１によって適切に受けることができる。
【００５８】
以上、本発明の実施形態を説明したが、本発明の範囲は上記した実施形態に限定されるものではなく、各請求項に記載した事項の範囲内でのあらゆる変更は、すべて本発明の範囲に包摂される。
【符号の説明】
【００５９】
Ａ１：ワイヤ送給装置、Ｃ１：ケーブル、Ｘ：送給方向、１：ケース、１７：後方壁（周壁）、１６３：クランプ部材（クランプ部）、１６４：保持部材（クランプ部）、１６５：締付ねじ（クランプ部）、１７０：ケーブル引込口、１７０Ａ，１７０Ｂ：切欠き部、１８：開閉機構、１８１：貫通孔、１８２：係止片、１９：ロック機構、１９１：ねじ部材、５０：保護チューブ、５１：電力ケーブル
【図１】
2020168655.tif 000003
【図２】
2020168655.tif 000004
【図３】
2020168655.tif 000005
【図４】
2020168655.tif 000006
【図５】
2020168655.tif 000007
【図６】
2020168655.tif 000008
【図７】
2020168655.tif 000009
【図８】
2020168655.tif 000010
【図９】
2020168655.tif 000011
【図１０】
2020168655.tif 000012
【図１１】
2020168655.tif 000013